(57)【要約】      （修正有）【課題】発炎筒を持ち運び可能に収容する発炎筒収容ケースを提供する。【解決手段】底板１１、並びに、底板１１の前後端部から互いの内面を向かい合わせて天面方向に立ち上げられてなる前壁５、及び後壁７が構成してなる周壁と、周壁の内面に対して垂直に設けられてなる保持板９と、後壁７の内面に形成されてなる発炎筒端固定部１３ａを有する固定部材１３と、周壁及び保持板９に囲われた空間に発炎筒が収容可能な収容空間３ａと、保持板９の内面であって発炎筒端固定部１３ａに対して前方水平位置に開放面に向かって突設されてなる発炎筒挟持部材１５と、を備える収容部３を有してなる。【選択図】図９
0003214748.tif 000002
【実用新案登録請求の範囲】
【請求項１】
底板、並びに、前記底板の前後端部から互いの内面を向かい合わせて天面方向に立ち上げられてなる前壁、及び後壁が構成してなる周壁と、
前記周壁の内面に対して垂直に設けられてなる保持板と、
前記後壁の内面に形成されてなる発炎筒端固定部を有する固定部材と、
前記保持板と対向する側面が開放面に形成されてなり、前記周壁及び前記保持板に囲われた空間に発炎筒が収容可能な収容空間と、
前記保持板の内面であって前記発炎筒端固定部に対して前方水平位置に前記開放面に向かって突設されてなる発炎筒挟持部材と、を備える収容部を有し、
前記開放面を上下に架け渡されてなる前記開放面よりも幅狭のベルト部材が設けられてなる
ことを特徴とする持ち運び可能な発炎筒収容ケース。
【請求項２】
前記発炎筒挟持部材は、一対の弾性帯板が互いに上下に間隔を空けて保持板から突設されてなり、
前記一対の弾性帯板は、先端部が狭小な隙間からなる挿し入れ口を形成し、中央部は互いに離間する方向に湾曲して発炎筒保持部を形成してなる
ことを特徴とする請求項１に記載の発炎筒収容ケース。
【請求項３】
前記固定部材は、板状体に形成されてなり、
前記発炎筒端固定部は、前記板状体の前端面に、発炎筒の端部を挿し入れて固定可能に形成されてなる固定穴である
ことを特徴とする請求項１または２に記載の発炎筒収容ケース。
【請求項４】
前記収容部が、前記保持板を隔壁として一側面側及び他側面側に設けられてなることを特徴とする請求項１から３のいずれかに記載の発炎筒収容ケース。
【請求項５】
前記収容部の天面に肩掛け帯材が設けられてなる
ことを特徴とする請求項１から４のいずれかに記載の発炎筒収容ケース。
【請求項６】
前記収容部の天面に持ち手部が設けられてなる
ことを特徴とする請求項１から５のいずれかに記載の発炎筒収容ケース。
【考案の詳細な説明】
【技術分野】
【０００１】
本考案は、発炎筒を持ち運び可能に収容する発炎筒収容ケースに関する。
【背景技術】
【０００２】
従来から、高速道路等において、道路工事を行うための交通規制、或いは交通事故の発生等に当たって、工事規制領域、または事故発生領域の場所であることを緊急的に後続車に知らせて、双方の安全を図るために発炎筒が用いられてきた。
【０００３】
たとえば、道路工事を行うための交通規制の開始時には、数本以上の発炎筒を携行し、短時間で高速道路上に置くことになる。そのために、肩掛けベルトを設け、蓋部と、蓋部に対応する袋部に面ファスナーを付し、袋部、または蓋部に反射板を付し、袋部の内部を縦横に分ける中仕切りを設けたことを特徴とする発炎筒の収納バッグが知られている（特許文献１参照）。
【先行技術文献】
【特許文献】
【０００４】
【特許文献１】公開実用新案公報  昭６２−４４３９１
【考案の概要】
【考案が解決しようとする課題】
【０００５】
しかしながら、従来の発炎筒の収納バッグは、蓋付きで、かつ蓋を面ファスナーで袋部に固定すると共に、発炎筒を縦置きに収納する構成となっているので、緊急時における発炎筒の使用の際に、蓋部を開ける手間と、縦置きの発炎筒を取り出して横向きに持ち替える動作が増えるために、発炎筒を素早く取り出して高速道路上に数本以上を置いていくことが短時間内にできにくいという課題があった。
【０００６】
また、袋部の内部を中仕切りで分けて、同じ仕切の中に複数の発炎筒が接触するように収納される構成となっているので、満杯状態では発炎筒を取り出し難く、使用して減っていく状態では隣り合う発炎筒同士が振動でぶつかり合って、発炎筒の劣化要因にもなりかねず、発炎筒の収納バッグとして好ましくなかった。
【課題を解決するための手段】
【０００７】
そこで、上記課題を解決するための手段として本考案に係る発炎筒収容ケースは、[１]底板、並びに、前記底板の前後端部から互いの内面を向かい合わせて天面方向に立ち上げられてなる前壁、及び後壁が構成してなる周壁と、前記周壁の内面に対して垂直に設けられてなる保持板と、前記後壁の内面に形成されてなる発炎筒端固定部を有する固定部材と、前記保持板と対向する側面が開放面に形成されてなり、前記周壁及び前記保持板に囲われた空間に発炎筒が収容可能な収容空間と、前記保持板の内面であって前記発炎筒端固定部に対して前方水平位置に前記開放面に向かって突設されてなる発炎筒挟持部材と、を備える収容部を有し、前記開放面を上下に架け渡されてなる前記開放面よりも幅狭のベルト部材が設けられてなることを特徴とする持ち運び可能な発炎筒収容ケースである。
【０００８】
また本考案は、［２］前記発炎筒挟持部材は、一対の弾性帯板が互いに上下に間隔を空けて保持板から突設されてなり、前記一対の弾性帯板は、先端部が狭小な隙間からなる挿し入れ口を形成し、中央部は互いに離間する方向に湾曲して発炎筒保持部を形成してなることを特徴とする前記［１］に記載の発炎筒収容ケースである。
【０００９】
また本考案は、［３］前記固定部材は、板状体に形成されてなり、前記発炎筒端固定部は、前記板状体の前端面に、発炎筒の端部を挿し入れて固定可能に形成されてなる固定穴であることを特徴とする前記［１］または［２］に記載の発炎筒収容ケースである。
【００１０】
また本考案は、［４］前記収容部が、前記保持板を隔壁として一側面側及び他側面側に設けられてなることを特徴とする前記［１］から［３］のいずれかに記載の発炎筒収容ケースである。
【００１１】
また本考案は、［５］前記収容部の天面に肩掛け帯材が設けられてなることを特徴とする前記［１］から［４］のいずれかに記載の発炎筒収容ケースである。
【００１２】
また本考案は、［６］前記収容部の天面に持ち手部が設けられてなることを特徴とする前記［１］から［５］のいずれかに記載の発炎筒収容ケースである。
【００１３】
前記後壁は、前記固定部材を設けることができるように幅広に形成されてなり、一方、前記前壁は、前記発炎筒が前側に取り出し易く、かつ前記発炎筒がずれても引っ掛かって落ちないような幅狭に形成されてなることが好ましい。
【００１４】
前記固定部材は、前記後壁の内面に接着剤等で固着されてなることが好ましい。また、前記発炎筒の一端側を前記固定穴に挿し入れることにより、前記発炎筒の一端側を支えることが可能な前記固定穴からなる前記発炎筒端固定部を上下方向に複数形成されてなることが好ましい。
【００１５】
前記発炎筒挟持部材は、前記一対の弾性帯板からなる前記挿し入れ口及び前記発炎筒保持部の間隔が前記発炎筒の直径よりも小さく形成されてなることが好ましく、これにより、前記発炎筒の他端側を前記発炎筒挟持部材に挿し入れることにより、前記一対の弾性帯板の弾性力により前記発炎筒の他端側を保持することができる。
【００１６】
また、前記発炎筒挟持部材は、前記発炎筒挟持部材の回り止め用の回転防止板を介して、前記保持板の前記前壁に近い位置に、前記発炎筒の他端側を挟持するように上下方向に複数設けられることが好ましい。
【００１７】
したがって、前記収容部に前記発炎筒端固定部、及び前記発炎筒挟持部材を設けることにより、前記収容空間に前後２か所で前記発炎筒を保持することができる。また、前記収容部に前記発炎筒端固定部、及び前記発炎筒挟持部材を上下方向に並べて複数設けることにより、前記発炎筒を複数個収容することができる。
【００１８】
また、前記発炎筒挟持部材の帯板の根元部には、樹脂製、もしくは、ゴム製からなるリングを前記一対の弾性帯板の締付けリングとして挿入することが好ましく、そのことによって、前記一対の弾性帯板の弾性力を強化することができる。
【００１９】
前記回転防止板は、前記発炎筒挟持部材の前記一対の弾性帯板の根元部を挿通できる矩形の取り付け穴を上下方向に複数形成することが好ましく、そのことによって、前記発炎筒挟持部材をネジ留め等で取り付けた後の回り止めとなり、前記発炎筒を挿し入れ易くなると共に、複数の前記発炎筒を平行に保持することができる。
【００２０】
前記ベルト部材は、前記発炎筒の落下防止用として、前記収容部の前後中央部で、前記開放面を上下方向に架け渡すもので、ベルトでも良く、紐でも良く、伸縮性があるもので、開閉自在に留めることができるものが好ましい。
【００２１】
また、前記ベルト部材と前記前壁及び前記後壁との間は、少なくともいずれか一方の間が作業者の手を挿入できる程度の幅を有する。これにより、前記ベルト部材を架け渡した状態のまま、前記発炎筒を掴んで取り出すことができるからである。
【００２２】
前記収容部の天面には、前記前壁及び前記後壁の上端部を架け渡す天板が前記底板に対向するように設けられてなることが好ましく、そのことによって、前記収容部の強度を向上することができる。
【００２３】
また、前記収容部の天面には、前記保持板の前記一側面側と前記他側面側との間に挟み込んで形成され、かつ上側に延長することにより、前記天板を貫通してなる前記持ち手部が形成されてなることが好ましい。さらに、前記持ち手部の両端には、肩掛け帯材を取り付けるための取り付け穴が設けられてなることが好ましい。
【００２４】
前記発炎筒の着火側である一端側を覆うように、天板、保持板及び底板の後壁側の内面に金属薄板が帯状に貼り付けられていることも好ましく、前記発炎筒の着火側の防火対策とすることができる。
【考案の効果】
【００２５】
本考案に係る発炎筒収容ケースによれば、発炎筒が外部から見えており、簡単に素早く取り出すことができるので、短時間内に高速道路上に数本以上を置くことができる。また、発炎筒の収容形態が横置きに個別収容となっているために、発炎筒が取り出し易い。また、発炎筒同士がぶつかり合うこともなく、発炎筒の複数個の収容及びその保管に優れた発炎筒収容ケースを提供することができる。
【００２６】
また、収容部を、保持板を隔壁として一側面側及び他側面側の両側面に設ければ、発炎筒を保持板の両側面に保持することができるので、一側面側にのみ収容部を設けるよりも多数の発炎筒を収容部に収容することができる。
【図面の簡単な説明】
【００２７】
【図１】本考案の実施例を示し、発炎筒収容ケース１の正面図である。
【図２】本考案の実施例を示し、発炎筒収容ケース１の背面図である。
【図３】本考案の実施例を示し、発炎筒収容ケース１の平面図である。
【図４】本考案の実施例を示し、発炎筒収容ケース１の底面図である。
【図５】本考案の実施例を示し、発炎筒収容ケース１の右側面図である。
【図６】本考案の実施例を示し、発炎筒収容ケース１の左側面図である。
【図７】図１のＡ−Ａ拡大断面図である。
【図８】図１のＢ−Ｂ断面図である。
【図９】本考案の実施例を示し、発炎筒収容ケース１の縮小斜視図である。
【図１０】本考案の実施例を示し、発炎筒収容ケース１にアルミテープ３１が貼り付けられ、固定部材１３を貼り付ける前で、収容部３の開放面をベルト部材３３で上下に架け渡した状態の発炎筒収容ケース１を示す縮小斜視図である。
【図１１】本考案の実施例を示し、発炎筒収容ケース１の使用状態を示す参考図であり、持ち手部１９の両端の取り付け穴１９ａに肩掛け帯材３５が取り付けられ、発炎筒１０が両側面の保持板９に６個収容された状態を示す参考斜視図である。
【図１２】本考案の発炎筒収容ケース１に使用される発炎筒１０の参考斜視図である。
【図１３】本考案の実施例を示し、発炎筒収容ケース１の使用状態を示す参考図である。
【図１４】本考案の実施例を示し、高速道路上Ｈに投げ置かれた発炎筒１０が発炎状態であることを示す参考斜視図である。
【考案を実施するための形態】
【００２８】
以下、本考案に係る実施の形態を、図１乃至図１４を参照しながら詳しく説明する。なお、本明細書及び図面において、実質的に同一の機能構成を有する構成要素については、同一の符号を付することにより重複説明を省略する。
【００２９】
本考案の発炎筒収容ケース１は、図１乃至図８に示すように、底板１１、並びに、底板１１の前後端部から互いの内面を向かい合わせて天面方向に立ち上げられてなる前壁５、及び後壁７が構成してなる周壁と、周壁の内面に対して垂直に設けられてなる保持板９と、後壁７の内面に形成されてなる発炎筒端固定部１３ａを有する固定部材１３と、保持板９と対向する側面が開放面に形成されてなり、周壁及び保持板９に囲われた空間に発炎筒１０が収容可能な収容空間３ａと、保持板９の内面であって発炎筒端固定部１３ａに対して前方水平位置に開放面に向かって突設されてなる発炎筒挟持部材１５と、を備える収容部３を有している。なお、図１における発炎筒収容ケース１の左側端部を前端部の前壁５とし、右側端部を後端部の後壁７として説明する。
【００３０】
前壁５、後壁７、保持板９、及び底板１１は、ポリプロピレン製シートの板材からなり、各板材をハトメ鋲（図示略）で固定することにより、図６及び図９に示すように、前壁５、後壁７、保持板９、及び底板１１に囲われる収容空間３ａが形成されて、この収容空間３ａに複数個の発炎筒１０が収容可能となっている。
【００３１】
図５に示すように、後壁７は、固定部材１３を設けることができるように幅広に形成されてなり、図６に示すように、前壁５は、発炎筒１０が前端部側に取り出し易く、かつ発炎筒１０がずれても前壁５に引っ掛かって落ちない程度に、後壁７よりも幅狭に形成されている。
【００３２】
固定部材１３は、低密度ポリエチレンフォーム等からなるスポンジ状の板状体で形成されてなり、該板状体の前端面に発炎筒１０の一端側１０ａを挿し入れて固定可能に形成されてなる固定穴からなる発炎筒端固定部１３ａを有し、図１、図２、図９及び図１１に示すように、後壁７の後壁補強板７ａの内面に接着剤等（図示略）で固着されてなると共に、発炎筒１０の一端側１０ａを発炎筒端固定部１３ａに挿し入れることにより、発炎筒１０の一端側１０ａを支えることができる。
【００３３】
発炎筒挟持部材１５は、図７、図９及び図１０に示すように、一対の弾性帯板の金属板、もしくは樹脂板からなるＣ型クリップで構成されてなる。一対の弾性帯板が互いに上下に間隔を空けて保持板９から開放面に向かって突設されてなり、先端部が狭小な隙間からなる挿し入れ口１５ａを形成してなる。中央部は互いに離間する方向に湾曲して発炎筒保持部１５ｂを形成してなる。矩形の取り付け穴を有する回転防止板１５ｃを介してネジ１５ｅにより保持板９に固定されている。そのことにより、発炎筒挟持部材１５に発炎筒１０の他端側１０ｂを挿し入れることができ、発炎筒１０の他端側１０ｂを支えることができる。
【００３４】
図１１に示すように、固定部材１３の発炎筒端固定部１３ａに発炎筒１０の一端側１０ａを挿し入れて発炎筒１０の一端側１０ａを支え、かつ発炎筒挟持部材１５に発炎筒１０の他端側１０ｂを挿し入れて発炎筒１０の他端側１０ｂを支えることにより、発炎筒１０の両端部を確実に保持することができる。
【００３５】
また、図１、図２、図７及び図８に示すように、収容部３が保持板９を隔壁として一側面側９ａ及び他側面側９ｂの両側面に設けられてなることにより、図１１に示すように、発炎筒１０を保持板９の両側面に保持することができる。そのことにより、複数の発炎筒１０を持ち運び可能になる。しかも横置きに、かつ個別に収容部３に収容することができると共に、使用状態においても発炎筒１０を発炎筒収容ケース１の前端部方向へ取り出し易くなる。
【００３６】
また、図７に示すように、発炎筒挟持部材１５の一対の弾性帯板の根元部には、樹脂製リング、もしくはゴムホースを輪切りにしたリングからなる締付けリング１５ｄが挿入されてなることにより、発炎筒挟持部材１５の一対の弾性帯板の弾性力を強化することができる。
【００３７】
図１０及び図１１に示すように、ベルト部材３３は、たとえば、簡易結束が可能なボール止め付きのバンジーコードからなり、底板１１と天板１７の前後中央部を上下に架け渡すことにより、保持板９と対向する開放面の一部をベルト部材３３で帯状に閉塞できるので、発炎筒１０の落下防止とすることができる。
【００３８】
また、ベルト部材３３と前壁５及び後壁７との間は、少なくともいずれか一方の間が作業者Ｍの手を挿入できる程度の幅を有する。これにより、ベルト部材３３を架け渡した状態のまま、発炎筒１０を掴んで取り出すことができる。
【００３９】
図１及び図２に示すように、収容部３の天面には、前壁５及び後壁７の上端部を架け渡すポリプロピレン製シートの板材からなる天板１７が底板１１と対向するように設けられてなり、収容部３の強度を向上することができる。さらに、図１乃至図４に示すように、後壁７には後壁補強板７ａが設けられてなり、底板１１には底板補強板１１ａが設けられてなり、天板１７には天板補強板１７ａが設けられてなる。
【００４０】
また、図７及び図８に示すように、収容部３の天面には、保持板９の一側面側９ａと他側面側９ｂとの間に挟み込んで形成され、かつ上側に延長することにより、天板１７を貫通してなる持ち手部１９が形成されてなる。また、図１１に示すように、持ち手部１９の両端には、肩掛け帯材３５を取り付けるための取り付け穴１９ａが設けられてなる。
【００４１】
図１０に示すように、発炎筒１０の着火側である一端側１０ａを覆うように、天板１７、保持板９及び底板１１の後壁７側の内面に、アルミニウム材を圧延したアルミ箔の裏面に接着剤が塗布されてなるアルミテープ３１が帯状に貼り付けられてなることにより、発炎筒１０の防火等の安全対策を向上することができる。
【００４２】
図１２に示すように、発炎筒１０は、一端側１０ａが着火側となっている。他端側１０ｂに発炎筒転がり防止具１０ｄが嵌入されており、必要に応じて、中間に発炎筒転がり防止用の粘着リング１０ｃが挿入されている。
【００４３】
このようにしてなる本考案の発炎筒収容ケース１の使用の形態として、図１３に示すように、作業者Ｍが発炎筒収容ケース１の肩掛け帯材３５を肩に掛けて、発炎筒１０を取り出して着火し、その後、発炎筒１０を高速道路上Ｈに投げ置かれることになる。なお、発炎筒１０を取り出す際、ベルト部材３３は伸縮性があるバンジーコードのために、ベルト部材３３を外す必要はない。
【００４４】
図１４に示すように、高速道路上Ｈに投げ置かれた複数個の発炎筒１０がセンターラインＣの左側の規制領域Ｔ内で発炎状態であることにより、工事領域、もしくは事故領域であることを後続車に知らせて双方の安全を図ることができる。
【符号の説明】
【００４５】
１    発炎筒収容ケース
３    収容部
３ａ    収容空間
５    前壁
７    後壁
７ａ    後壁補強板
９    保持板
９ａ    一側面側
９ｂ    他側面側
１０    発炎筒
１０ａ    一端側
１０ｂ    他端側
１０ｃ    粘着リング
１０ｄ    発炎筒転がり防止具
１１    底板
１１ａ    底板補強板
１３    固定部材
１３ａ    発炎筒端固定部
１５    発炎筒挟持部材
１５ａ    挿し入れ口
１５ｂ    発炎筒保持部
１５ｃ    回転防止板
１５ｄ    締付けリング
１５ｅ    ネジ
１７    天板
１７ａ    天板補強板
１９    持ち手部
１９ａ    取り付け穴
３１    アルミテープ
３３    ベルト部材
３５    肩掛け帯材
Ｃ    センターライン
Ｈ    高速道路上
Ｍ    作業者
Ｔ    規制領域
【図１】
0003214748.tif 000003
【図２】
0003214748.tif 000004
【図３】
0003214748.tif 000005
【図４】
0003214748.tif 000006
【図５】
0003214748.tif 000007
【図６】
0003214748.tif 000008
【図７】
0003214748.tif 000009
【図８】
0003214748.tif 000010
【図９】
0003214748.tif 000011
【図１０】
0003214748.tif 000012
【図１１】
0003214748.tif 000013
【図１２】
0003214748.tif 000014
【図１３】
0003214748.tif 000015
【図１４】
0003214748.tif 000016